(57)【要約】【課題】キートップの押圧部をケースの上壁に設けた挿通部にその真上方向以外の方向から挿入することができるキートップの押圧スイッチ部への取付方法を提供する。【解決手段】  外装ケース７０に取り付けられたキートップ７２と、スイッチ４６の上部を覆うケース１０の上壁１１ａに挿通部１２を設けた押圧スイッチ部２とを用意し、押圧スイッチ部２を外装ケース７０に組み付ける際に、あらかじめキートップ７２を可撓性を有するヒンジ部７６を介して外装ケース７０に取り付けておき、押圧部７２をケース１０の上壁に当接させてヒンジ部７６を撓ませてキートップ７３を持ち上げた後、挿通部１２に挿通させることで、押圧部７４をケース２の上壁１１ａの面に対して斜め上方向の位置から挿通部７４に挿通させることができるキートップ７２の押圧スイッチ部２への取付方法である。【選択図】図５
2007005103.tif 000002
【特許請求の範囲】
【請求項１】
固定部材に上下動可能に取り付けられたキートップと、
前記キートップに設けた押圧部によって押圧されるスイッチと、前記スイッチの上部を覆う上壁を有してなるケースとを備え、前記ケースの上壁に、前記押圧部を挿通させる挿通部を設けた押圧スイッチ部とを用意し、
前記押圧スイッチ部を前記固定部材に組み付ける際に、前記キートップの押圧部を前記ケースの上壁の面に対して斜め上又は横方向の位置から前記挿通部に挿通させるキートップの押圧スイッチ部への取付方法であって、
あらかじめ前記キートップを可撓性を有するヒンジ部を介して前記固定部材に取り付けておき、
前記押圧部を前記ケースの上壁に当接させて前記ヒンジ部を撓ませて前記キートップを持ち上げた後、前記挿通部に挿通させることを特徴とするキートップの押圧スイッチ部への取付方法。
【請求項２】
固定部材に上下動可能に取り付けられたキートップと、
前記キートップに設けた押圧部によって押圧されるスイッチと、前記スイッチの上部を覆う上壁を有してなるケースとを備え、前記ケースの上壁に、前記押圧部を挿通させる挿通部を設けた押圧スイッチ部とを用意し、
前記押圧スイッチ部を前記固定部材に組み付ける際に、前記キートップの押圧部を前記ケースの上壁の面に対して斜め上又は横方向の位置から前記挿通部に挿通させるキートップの押圧スイッチ部への取付方法であって、
前記ケースの上壁に、前記挿通部に連通するスリット部を形成しておき、
前記押圧部を前記スリット部にスライド挿入させた後、前記挿通部に挿通させることを特徴とするキートップの押圧スイッチ部への取付方法。
【請求項３】
スイッチと、前記スイッチの上部を覆う上壁を有してなるケースとを備え、前記ケースの上壁に、前記スイッチを押圧するキートップの押圧部を挿通させる挿通部を設けた押圧スイッチ部であって、
前記ケースの上壁に、前記挿通部に連通して、前記キートップの押圧部をスライド挿入させるスリット部を形成したことを特徴とする押圧スイッチ部。
【請求項４】
第１のスイッチと、前記第１のスイッチを押圧する押圧部をその下面に設けた作動型物と、前記作動型物の上面に配置される第２のスイッチと、前記作動型物を上下動自在に収納する収納部と該収納部の上部を覆う上壁とを有してなるケースとを備え、前記ケースの上壁に、前記第２のスイッチを押圧するキートップの押圧部を挿通させる挿通部を設けた押圧スイッチ部であって、
前記ケースの上壁に、前記挿通部に連通して、前記キートップの押圧部をスライド挿入させるスリット部を形成したことを特徴とする押圧スイッチ部。
【請求項５】
請求項３又は４に記載の押圧スイッチ部であって、
前記スリット部は、前記キートップの押圧部を前記ケースの上壁の面に対して斜め上又は横方向の位置から前記挿通部に向かってスライド挿入させる形状に形成されていることを特徴とする押圧スイッチ部。
【請求項６】
請求項３又は４又は５に記載の押圧スイッチ部において、
前記スリット部は、前記ケースの上壁の外周から前記挿通部に連通して形成されていることを特徴とする押圧スイッチ部。
【発明の詳細な説明】
【技術分野】
【０００１】
本発明は、キートップを押圧スイッチ部へ取り付けるキートップの押圧スイッチ部への取付方法、及びその方法に用いる押圧スイッチ部に関する。
【背景技術】
【０００２】
従来、電子機器の外装ケースなどの固定部材にキートップを上下動自在に取り付けると共に、この固定部材に押圧スイッチ部を組み付けて、前記キートップを押圧することで前記押圧スイッチ部のスイッチをオンする構造のスイッチ機構がある。この種のスイッチ機構を備えた電子機器は、その組み立ての際に、あらかじめキートップを電子機器の固定部材に取り付けておき、一方、押圧スイッチ部を固定部材に組み付ける部品と一体に取り付けておき、固定部材にこの部品を組み付けることで、同時に押圧スイッチ部のスイッチがキートップの押圧部によって押圧される位置に位置するようにする。
【０００３】
一方、押圧スイッチ部の中にはスイッチを収納するケースを備え、このケースの上壁に挿通部（挿通穴）を形成し、キートップの突起状の押圧部をこの挿通穴に挿通させる構造のものがある。
【特許文献１】特開２００１−１８４９８２号公報
【発明の開示】
【発明が解決しようとする課題】
【０００４】
ところが、この種の従来の押圧スイッチ部は、ケースの上壁の挿通部が、キートップの押圧部をケースの上壁の面に対して真上方向の位置から差し込んで挿入するように形成されており、例えばケースの上壁の面に対して垂直に形成された貫通穴などになっている。しかし、電子機器のデザインの多様化や部品点数の増加が進み、その組み立て手順が複雑化していることで、電子機器の組み立ての際に、キートップの押圧部をケースの上壁の真上方向から挿通部に挿入することができず、ケースの上壁の面に対して斜め上方向や横方向などから挿入しなければならないことがあり、そのような場合に、従来の取付方法や押圧スイッチ部の構造では対応することができなかった。
【０００５】
本発明は上述の点に鑑みてなされたものでありその目的は、キートップの押圧部をケースの上壁に設けた挿通部にケースの上壁の面に対して真上方向以外の位置から挿入することができ、押圧スイッチ部の電子機器の固定部材への組み付けが容易に行なえるキートップの押圧スイッチ部への取付方法、及びその方法に用いる押圧スイッチ部を提供することにある。
【課題を解決するための手段】
【０００６】
上記課題を解決するため本願の請求項１に記載の発明は、固定部材に上下動可能に取り付けられたキートップと、前記キートップに設けた押圧部によって押圧されるスイッチと、前記スイッチの上部を覆う上壁を有してなるケースとを備え、前記ケースの上壁に、前記押圧部を挿通させる挿通部を設けた押圧スイッチ部とを用意し、前記押圧スイッチ部を前記固定部材に組み付ける際に、前記キートップの押圧部を前記ケースの上壁の面に対して斜め上又は横方向の位置から前記挿通部に挿通させるキートップの押圧スイッチ部への取付方法であって、あらかじめ前記キートップを可撓性を有するヒンジ部を介して前記固定部材に取り付けておき、前記押圧部を前記ケースの上壁に当接させて前記ヒンジ部を撓ませて前記キートップを持ち上げた後、前記挿通部に挿通させることを特徴とする。
【０００７】
本願の請求項２に記載の発明は、固定部材に上下動可能に取り付けられたキートップと、前記キートップに設けた押圧部によって押圧されるスイッチと、前記スイッチの上部を覆う上壁を有してなるケースとを備え、前記ケースの上壁に、前記押圧部を挿通させる挿通部を設けた押圧スイッチ部とを用意し、前記押圧スイッチ部を前記固定部材に組み付ける際に、前記キートップの押圧部を前記ケースの上壁の面に対して斜め上又は横方向の位置から前記挿通部に挿通させるキートップの押圧スイッチ部への取付方法であって、
前記ケースの上壁に、前記挿通部に連通するスリット部を形成しておき、前記押圧部を前記スリット部にスライド挿入させた後、前記挿通部に挿通させることを特徴とする。
【０００８】
本願の請求項３に記載の発明は、スイッチと、前記スイッチの上部を覆う上壁を有してなるケースとを備え、前記ケースの上壁に、前記スイッチを押圧するキートップの押圧部を挿通させる挿通部を設けた押圧スイッチ部であって、前記ケースの上壁に、前記挿通部に連通して、前記キートップの押圧部をスライド挿入させるスリット部を形成したことを特徴とする。
【０００９】
本願の請求項４に記載の発明は、第１のスイッチと、前記第１のスイッチを押圧する押圧部をその下面に設けた作動型物と、前記作動型物の上面に配置される第２のスイッチと、前記作動型物を上下動自在に収納する収納部と該収納部の上部を覆う上壁とを有してなるケースとを備え、前記ケースの上壁に、前記第２のスイッチを押圧するキートップの押圧部を挿通させる挿通部を設けた押圧スイッチ部であって、前記ケースの上壁に、前記挿通部に連通して、前記キートップの押圧部をスライド挿入させるスリット部を形成したことを特徴とする。
【００１０】
本願の請求項５に記載の発明は、請求項３又は４に記載の押圧スイッチ部であって、前記スリット部は、前記キートップの押圧部を前記ケースの上壁の面に対して斜め上方向の位置又は真横の位置から前記挿通部に向かってスライド挿入させる形状に形成されていることを特徴とする。
【００１１】
本願の請求項６に記載の発明は、請求項３又は４又は５に記載の押圧スイッチ部において、前記スリット部は、前記ケースの上壁の外周から前記挿通部に連通して形成されていることを特徴とする。
【発明の効果】
【００１２】
本願の請求項１に記載の発明によれば、あらかじめキートップを可撓性を有するヒンジ部を介して固定部材に取り付けておき、キートップの押圧部をケースの上壁に当接させてヒンジ部を撓ませてキートップを持ち上げた後、挿通部に挿通させることでキートップの押圧部をケースの上壁の面に対して斜め上又は横方向の位置から挿通部に挿通させるので、キートップの押圧部をケース上壁の面に対して真上方向以外の位置から容易に挿通部に挿通させることが可能となる。したがって、押圧スイッチ部を組み付ける電子機器の固定部材の形状や、電子機器の他の構成部品の配置などの影響を受けずにキートップの押圧部を挿通部に挿通させることが可能となり、押圧スイッチ部を電子機器に組み込む手順を簡単化し効率化することができる。
【００１３】
本願の請求項２に記載の発明によれば、ケースの上壁に、挿通部に連通するスリット部を形成しておき、キートップの押圧部をスリット部にスライド挿入させた後、挿通部に挿通させることでキートップの押圧部をケースの上壁の面に対して斜め上又は横方向の位置から挿通部に挿通させるので、キートップの押圧部をケース上壁の面に対して真上方向以外の位置から容易に挿通部に挿通させることが可能となる。したがって、押圧スイッチ部を組み付ける電子機器の固定部材の形状や、電子機器の他の構成部品の配置などの影響を受けずにキートップの押圧部を挿通部に挿通させることが可能となり、押圧スイッチ部を電子機器に組み込む手順を簡単化し効率化することができる。
【００１４】
本願の請求項３又は４に記載の発明によれば、ケースの上壁に、キートップの押圧部を挿通させる挿通部に連通して、キートップの押圧部をスライド挿入させるスリット部を形成したので、キートップの押圧部をケース上壁の面に対して斜め上や横方向の位置から挿通部に挿入することが可能となる。したがって、押圧スイッチ部を組み付ける電子機器の固定部材の形状や、電子機器の他の構成部品の配置などの影響を受けずにキートップの押圧部を挿通部に挿通させることが可能となり、押圧スイッチ部を電子機器に組み込む手順を簡単化し効率化することができる。
【００１５】
本願の請求項５に記載の発明によれば、スリット部は、キートップの押圧部をケースの上壁の面に対して斜め上又は横方向の位置から挿通部に向かってスライド挿入させる形状に形成されているので、押圧スイッチ部を組み付ける電子機器の固定部材の形状や、電子機器の他の構成部品の配置などにより、キートップの押圧部をケースの上壁の面に対して斜め上又は横方向の位置から挿通部に挿通させなければならない場合でも、押圧スイッチ部を電子機器に確実に組み込むことができると共に、その手順を簡単化し効率化することができる。
【００１６】
本願の請求項６に記載の発明によれば、スリット部は、ケースの上壁の外周から挿通部に連通して形成されているので、キートップの押圧部をケース上壁の面に対して横方向の位置から水平にスライド挿入することが可能となり、押圧スイッチ部を組み付ける電子機器の固定部材の形状や、電子機器の他の構成部品の配置などにより、キートップの押圧部をケースの上壁の面に対して横方向の位置から挿通部に挿通させなければならない場合でも、押圧スイッチ部を電子機器に確実に組み込むことができると共に、その手順を簡単化し効率化することができる。
【発明を実施するための最良の形態】
【００１７】
以下、本発明の実施形態を図面に基づいて詳細に説明する。
〔第１実施形態〕
本発明の第１実施形態を説明する。図１は、本発明にかかるキートップの押圧スイッチ部への取付方法を用いて組み立てられたスイッチ機構１の概略側断面図であり、図２はその上側から見た分解斜視図である。このスイッチ機構１は、電子機器の固定部材（以下各実施形態では「外装ケース」という）７０に取り付けたキートップ７２と、この外装ケース７０内に組み付けられてキートップ７２の下側に設置される押圧スイッチ部２とを備えて構成されている。各構成部品について詳細に説明する。
【００１８】
外装ケース７０は、デジタルカメラなどの電子機器のハウジングである。そして外装ケース７０の面７１に設けた開口部７１ａ内に、押圧スイッチ部２の第２のスイッチ４６を押圧するキートップ７２が取り付けられている。外装ケース７０の面７１は、下記する取付部材５０を外装ケース７０内に組み付ける方向（図１のＡ方向）に対して角度θだけ傾斜した傾斜面になっている。またこの面７１は、同じくＡ方向に対して角度θだけ傾斜した面である取付部材５０の取付部５２の面、及びケース１０の上壁１１ａの面と略平行な面になっている。なお各図では、外装ケース７０は面７１の一部のみを図示し、その他の部分の図示を省略している。
【００１９】
キートップ７２は、合成樹脂や合成ゴムなどの一体成形品であり、略円柱形状でその外周の径が開口部７１ａの内周の径よりも若干小さい寸法に形成された基部７５を備え、基部７５の外周側面には、外側に向かって突出するつば部７８が形成されている。そしてつば部７８の外周に、細板状のヒンジ部７６の一端が連結され、このヒンジ部７６の他端に四角柱状の固定部７７が設けられている。基部７５は、その上面が指などで押圧操作する操作部７３になっていて、その下面には第２のスイッチ４６を押圧する軸状の突起からなる押圧部７４が設けられている。押圧部７４はその下端面７４ａが丸みを帯びた形状に形成されている。またつば部７８は、キートップ７２を外装ケース７０に取り付けた際に、外装ケース７０下面の開口部７１ａの外周に形成した段部７１ｂの下側に配置されて、基部７５が開口部７１ａの上方に抜けることを防止するものである。ヒンジ部７６は可撓性を有し、上下方向に容易に撓むように薄い厚みに形成されている。また固定部７７にはその上下に貫通する貫通穴からなる取付固定部７７ａが設けられている。一方、外装ケース７０の面７１の下面の開口部７１ａの外側には、下方に向かって突出する突起状の固定部７９が形成されている。
【００２０】
このキートップ７２を外装ケース７０に取り付けるには、基部７５を開口部７１ａにその下側から挿入して設置すると共に、取付固定部７７ａに固定部７９を挿通させて固定部７７の下面側に突出した固定部７９の先端を熱カシメして固定する。これにより、開口部７１ａの外周の段部７１ｂの下面とつば部７８の上面との間に隙間が形成されると共に、ヒンジ部７６の上面と外装ケース７０の下面との間にも隙間が形成された状態でキートップ７２が設置され、ヒンジ部７６が撓むことで、基部７５が開口部７１ａ内で面７１に対して略直交する方向に沿って上下動可能になっている。また操作部７３が開口部７１ａから外装ケース７０の外部に露出している一方、押圧部７４は、面７１の下側で面７１と直交する下方向に向かって突出している。
【００２１】
押圧スイッチ部２は、図２に示すように取付部材（取付板）５０の上面にスイッチ部材２０を載置し、スイッチ部材２０の上にケース１０を被せてこれを取付部材５０に取り付けて構成されている。以下、この押圧スイッチ部２の各構成部品について説明する。
【００２２】
図３は、ケース１０を下面側から見た斜視図である。同図及び図２に示すようにケース１０は、略長方形の平板状に形成された合成樹脂の成形品で、下面側に開口する略円形の凹部である収納部１１を設けている。この収納部１１の上部は略円形の上壁１１ａで覆われており、上壁１１ａは、図２に示すようにケース１０の他の部分よりもケース１０の上面側に突出している。なお以下で上壁１１ａの面というときは、上壁１１ａの上面を指すものとする。そして上壁１１ａの中央には、その上下面に貫通する略円形の穴である挿通部１２が形成されている。一方、ケース１０の下面には、収納部１１からそれぞれケース１０の長手方向の両辺まで連通する溝状の切込部１４，１５が形成されている。またケース１０下面の収納部１１の外側の４箇所には、それぞれ下方に向かって突出する突起状の固定部１６が設けられている。さらにケース１０の四隅には、それぞれ下方に向かって突出する突起状の固定部１７が設けられている。
【００２３】
図４はスイッチ部材２０の展開図（分解図）である。スイッチ部材２０は、反転板２１と、作動型物２２と、フレキシブル回路基板３０とを具備して構成される。なお図４では、作動型物２２はその下面側を上向きにして図示している。
【００２４】
フレキシブル回路基板３０は、可撓性を有する合成樹脂フイルム（ポリエチレンテレフタレートフイルム〔ＰＥＴフイルム〕等）上に回路パターンを形成して構成されており、ケース１０の外形よりも若干小さい略長方形状に形成された基板部３１と、基板部３１より小さい寸法の円形の一対の基板部３２，３３とを具備し、これら基板部３１，３２，３３の間を接続部３４，３５で接続し、基板部３１から引出部３６を引き出して構成されている。各基板部３１，３２，３３の中央には導電ペーストを印刷形成することで接点パターン３７，３８，３９が形成されている。また、基板部３１の接点パターン３７の外周には、これを囲むように略コ状に導電ペーストを印刷形成してなる接続パターン４０が形成されている。そして基板部３２と基板部３３の上面の各接点パターン３８，３９の部分を除くその周囲部分には、導電ペーストの膜厚より厚い絶縁塗料を印刷形成したスペーサ層４１が設けられている。また、各接点パターン３７，３８，３９と接続パターン４０とからは、図示しない回路パターンが引き出されて引出部３６に導かれている。さらに基板部３１の接続パターン４０の外側の四箇所には、貫通穴からなる取付固定部４２が設けられている。これら各取付固定部４２は、それぞれケース１０の各固定部１６に対応する位置に設けられている。
【００２５】
作動型物２２は、略円板形状の合成樹脂の成型品であり、その上面側には、基板部３２，３３を収納する円形の凹部２４が設けられ（図２参照）、下面中央には突起状の押圧部２３が設けられている。また、凹部２４の外周側壁には、接続部３４を挿入する切り欠き状の溝からなる係止部２５（図２参照）と、接続部３５を固定するスリット状の穴からなる係止部２６が設けられている。この作動型物２２の外周の形状・寸法は、ケース１０の収納部１１の内周と同形状でそれよりも若干小さい寸法に形成されていて、作動型物２２が収納部１１内に上下動自在に収納されるようになっている。一方、反転板２１は、弾性金属板をドーム形状に形成したもので、反転時にその下部に配置された接点パターン３７と接続パターン４０の間を導通すると共にクリック感覚を生じるように構成されている。
【００２６】
上記の各部品で構成されるスイッチ部材２０の組み立て方法を説明する。まず基板部３１の接点パターン３７と接続パターン４０を設けた面に反転板２１を載置して取り付ける。このとき、反転板２１の中心が接点パターン３７の真上に位置し、反転板２１の下面の外周が接続パターン４０に当接するように載置する。これら反転板２１と接点パターン３７と接続パターン４０とで第１のスイッチ４５（下記の図４参照）が構成される。次に基板部３３を接続部３５で折り返して基板部３２の上に重ね合わせる。このとき、接点パターン３８と接点パターン３９とはスペーサ層４１の厚みによって所定の隙間を介して対向した状態となり、これら接点パターン３８と接点パターン３９とにより第２のスイッチ４６（図１参照）が構成される。
【００２７】
次に、重ね合わせた基板部３２と基板部３３の上から作動型物２２の凹部２４を被せて、これらを凹部２４内に収納する。この際、折り返されている接続部３５は係止部２６に挿入され、他方の接続部３４は係止部２５に差し込まれて係止される。そして、この作動型物２２を取り付けた基板部３２と基板部３３を接続部３４で折り返して、基板部３１に載置した反転板２１の上部に、作動型物２２の凹部２４が上側を向くように重ね合わせる。このとき押圧部２３は、反転板２１の上面中央に載置される。以上によりスイッチ部材２０の組み立てが完了する。
【００２８】
次に、取付部材（取付板）５０は、合成樹脂板や金属板等の硬質板からなる平板状の部材で、その一端辺５０ａから所定距離だけ離れた部分に設けた直線状の折曲部５１が所定角度（本実施形態では角度θ）折り曲げられていて、一端辺５０ａと折曲部５１との間の部分が、折曲部５１の他端側の部分５３に対して角度θだけ傾斜する平板状の傾斜面である取付部５２になっている。この取付部５２は、押圧スイッチ部２を取り付ける部分であり、ケース１０の外形と略同形の長方形状に形成されている。また取付部５２は、後に詳述するように取付部材５０を下記する電子機器の外装ケース７０に挿入する方向（図１の矢印Ａ方向）に対しても角度θだけ傾斜している。一方、取付部５２の四隅であってケース１０の固定部１７に対応する位置には、各々１個ずつの貫通穴５４が設けられ、ケース１０の固定部１６に対応する位置には、貫通穴からなる取付固定部５５が設けられている。なお各図では、折曲部５１の他端側の部分５３は、その一部のみを図示している。
【００２９】
この押圧スイッチ部２の組み立て方法を説明する。まずケース１０の下面側に、先の手順で組み立てたスイッチ部材２０を取り付ける。この際、作動型物２２をケース１０の収納部１１内に収納して、係止部２５，２６から作動型物２２の外側に突出する接続部３４，３５をそれぞれ切込部１４，１５内に配置し、ケース１０の固定部１６をスイッチ部材２０の取付固定部４２に挿通させて基板部３１の下面側に突出させる。次にこのスイッチ部材２０を取り付けたケース１０を、取付部材５０上に載置して取り付ける。その際、基板部３１の下面側に突出したケース１０の固定部１６を、取付部５２の取付固定部５５に挿通させて取付部材５０の下面側に突出させると共に、ケース１０の固定部１７を取付部５２の取付固定部５４に挿通させて取付部材５０の下面側に突出させ、これら固定部１６と固定部１７の先端を熱カシメして固定する。これにより取付部材５０の取付部５２の上面にスイッチ部材２０が載置されてその上にケース１０が被せられると共に、ケース１０が取付部５２に固定される。以上により、押圧スイッチ部２の組み立てが完了する。
【００３０】
ここで、組み立てた押圧スイッチ部２を外装ケース７０内に組み付ける際に、キートップ７２の押圧部７４をケース１０の上壁１１ａの面に対して斜め上方向の位置から挿通部１２に挿通させるキートップ７２の押圧スイッチ部２への取付方法を説明する。図５は、この取付方法を説明するための概略側断面図である。すなわち、押圧スイッチ部２は、図５（ａ）に示すように、同図のＡ方向に挿入して外装ケース７０に組み付けなければならないので、外装ケース７０の面７１に直交する下方向に突出しているキートップ７２の押圧部７４は、上壁１１ａの面に対して斜め上方向の位置から挿通部１２に挿通させなければならない。
【００３１】
そこで、同図（ａ）に示すように、押圧スイッチ部２を外装ケース７０に向かってＡ方向に移動させ、同図（ｂ）に示すようにケース１０の上壁１１ａの上面にキートップ７２の押圧部７４の下端面７４ａを当接させて、ヒンジ部７６を撓ませてキートップ７２を上方に持ち上げる。この状態からさらに押圧スイッチ部２をＡ方向に移動させると、押圧部７４が上壁１１ａの上面に沿ってこれを乗り越え、同図（ｃ）に示すように挿通部１２内に挿通される。そして押圧スイッチ部２がキートップ７２の真下位置（面７１に直交する方向の真下位置）に配置されて取り付けられる。ここでは、押圧部７４の下端面７４ａが丸みを帯びた形状に形成されているので、ケース１０の上壁１１ａの上面に押圧部７４の下端面７４ａを当接させた際に、キートップ７２がスムーズに上方に持ち上げられる。
【００３２】
このように、押圧スイッチ部２を外装ケース７０内に組み付ける際に、あらかじめキートップ７２を可撓性を有するヒンジ部７６を介して外装ケース７０に取り付けておき、押圧部７４をケース１０の上壁１１ａに当接させてヒンジ部７６を撓ませてキートップ７２を持ち上げた後、この押圧部７４を挿通部１２に挿通させるので、キートップ７２の押圧部７４をケース１０の上壁１１ａの面に対して斜め上方向の位置から容易に挿通部１２に挿通させることができ、押圧スイッチ部２の外装ケース７０への組み付けを簡単にすることができる。また外装ケース７０の形状や、この電子機器の他の構成部品の配置などの影響を受けずにキートップ７２の押圧部７４を挿通部１２に挿入して設置することが可能となる。
【００３３】
上記の方法で組み立てられたスイッチ機構１は、図１に示すように基板部３１上の接点パターン３７と接続パターン４０（図３参照）と反転板２１とで構成される第１のスイッチ４５と、第１のスイッチ４５を押圧する押圧部２３を下面に設けた作動型物２２と、作動型物２２の上面に配置される基板部３２に形成した接点パターン３８と基板部３３に形成した接点パターン３９（図３参照）とで構成される第２のスイッチ４６とを備えて２段スイッチが構成され、第２のスイッチ４６の上にこれを押圧するキートップ７２の押圧部７４が載置された状態になっている。
【００３４】
図１を用いてスイッチ機構１の動作を説明する。まず、同図に示す状態からキートップ７２の操作部７３を押圧すると、キートップ７２が下方向（ケース１０の上壁１１ａの面に直交する下方向、以下同じ）に移動する。そして、押圧部７４が基板部３２をその上面側から押圧して、接点パターン３８と接点パターン３９（図４参照）を当接させて第２のスイッチ４６をオンさせる。この状態からさらにキートップ７２の操作部７３を押圧すると、キートップ７２と作動型物２２が一体となって下方向に移動する。そして作動型物２２の押圧部２３が反転板２１を押圧してこれを反転させることで、その下の基板部３１の接点パターン３７と接続パターン４０（図４参照）が導通して第１のスイッチ４５がオンする。ここで作動型物２２は、その外周がケース１０の収納部１１の内周によってガイドされているため、正確に上下方向（ケース１０の上壁１１ａの面に直交する上下方向）に移動する。キートップ７２の押圧を解除すると、反転板２１の反転力によって作動型物２２とキートップ７２が同時に上方へ移動して第１のスイッチ４５がオフし、続いて第２のスイッチ４６もオフする。
【００３５】
〔第２実施形態〕
次に、本発明の第２実施形態を説明する。本実施形態にかかる図面及びその説明においては、第１実施形態と共通する構成部分には同一の符号を付す。なお以下で説明する事項以外の事項については、第１実施形態と同じである。図６は、本発明にかかるキートップの押圧スイッチ部への取付方法を用いて組み立てられたスイッチ機構１−２の概略側断面図である。このスイッチ機構１−２が第１実施形態のスイッチ機構１と異なる点は、キートップ７２にかえてその形状の異なるキートップ７２−２を設置した点と、押圧スイッチ部２にかえて、他の構成のケース１０−２を備えた押圧スイッチ部２−２を設けた点である。
【００３６】
即ち、キートップ７２−２はキートップ７２におけるヒンジ部７６と固定部７７とを省略した形状で、基部７５とつば部７８とを備えて構成されている。一方、外装ケース７０の面７１の下面側には、このキートップ７２−２を開口部７１ａ内で上下動可能となるように保持するキートップ保持部８０が設けられている。キートップ保持部８０は、キートップ７２−２のつば部７８の外周を囲む側壁８０ａと、該側壁８０ａの下端から側壁８０ａの内側に向かって突出する突出部８０ｂとを備えて構成され、側壁８０ａでその内側に設置したキートップ７２−２が上下動可能となるように案内すると共に、つば部７８の下面側に位置させた突出部８０ｂにより、キートップ７２−２が開口部７１ａから下方に抜け落ちないようにしている。このキートップ保持部８０は、外装ケース７０とは別部材として形成されたものを、キートップ７２を開口部７１ａ内に取り付けた後に、面７１の下面側に取り付けて構成されている。
【００３７】
一方、図７は、押圧スイッチ部２−２のケース１０−２の斜視図で、同図（ａ）はその上面側から見た図で、同図（ｂ）はその下面側から見た図である。ケース１０−２は、ケース１０と同様、略長方形の平板状に形成された合成樹脂の成形品で、下面側に開口する略円形の凹部である収納部１１を設けると共に、収納部１１の上部を略円形の上壁１１ａで覆っている。上壁１１ａの中央には、その上下面に貫通する略円形の穴である挿通部１２が形成されていて、さらに、上壁１１ａの外周部（ケース１０の長手方向の一辺に接する位置の外周部）から切り込まれて挿通部１２まで直線状に連通する細い帯形状のスリット部１３が設けられている。このスリット部１３は、押圧部７４をスライド挿入する方向であるＡ方向に向かう直線状に形成されている。即ちこのスリット部１３は、キートップ７２の押圧部７４をケース１０の上壁１１ａの面に対して斜め上方向の位置から挿通部１２に向かってスライド挿入させるように、上壁１１ａの面に対して斜め上又は横方向の位置から挿通部１２まで直線状に開放された形状に形成されている。なお、ここでいうスライド挿入とは、押圧部７４をケース１０−２の上壁１１ａの面に対して真上方向以外の位置から挿通部１２まで直線状に移動（平行移動を含む）させながら挿入することをいう。またスリット部１３は、ケース１０の上壁１１ａの外周（収納部１１の外周）側面から切り込まれて挿通部１２に連通して形成されている（図６参照）。具体的には、上壁１１ａの最も低い位置の側面から挿通部１２まで直線状に切り込まれて形成されている。さらにこのスリット部１３は、上壁１１ａの外周部とその近傍の位置（下記の切込部１４の上部の位置）に設けた薄板状の接続部１８の部分を除いて上壁１１ａの上下面に貫通して形成されている。この接続部１８は、ケース１０−２のスリット部１３を設けた部分を補強するもので、ケース１０−２がこのスリット部１３を設けた部分で容易に折れ曲がらないようにしている。
【００３８】
この押圧スイッチ部２−２を外装ケース７０に組み付ける際に、キートップ７２−２の押圧部７４をケース１０−２の上壁１１ａの面に対して斜め上方向の位置から挿通部１２に挿通させるキートップ７２−２の押圧スイッチ部２−２への取付方法を説明する。図８は、この取付方法を説明するための斜視図で、図９はその概略側断面図である。この方法は、図９（ａ）に示すように、押圧部７４をケース１０の上壁１１ａの面に対して斜め上方向の位置からスリット部１３にスライド挿入した後、同図（ｂ）に示すように挿通部１２に挿通させるものである。
【００３９】
このようにケース１０の上壁１１ａに挿通部１２に連通するスリット部１３を設けて、このスリット部１３に押圧部７４をスライド挿入するので、キートップ７２−２の押圧部７４をケース１０の上壁１１ａの面に対して真上方向以外の位置から挿通部１２に挿入しなければならない場合でも、押圧スイッチ部２−２を確実に電子機器に組み込むことができると共に、その手順を簡単化し効率化することが可能となる。特にスリット部１３は、ケース１０の上壁１１ａの面に対して斜め上方向の位置から挿通部１２までが直線状に開放された形状に形成されているので、外装ケース７０の形状や取付部材５０の形状及びそれらの配置構成などによって、キートップ７２の押圧部７４をケース１０の上壁１１ａの面に対して斜め上方向の位置から挿通部１２に挿入しなければならない場合でも、押圧スイッチ部２−２を電子機器に容易に組み込むことができると共に、その手順を簡単化し効率化することが可能となる。
【００４０】
なお、第１実施形態におけるキートップの押圧スイッチ部への取付方法では、キートップ７２を持ち上げて押圧部７４を挿通部１２に挿入するので、外装ケース７０とキートップ７２の間にキートップ７２のストロークを確保するための隙間を形成しなければならず、そのため組み立てたスイッチ機構１の薄型化に制限がある。その点、本実施形態におけるキートップの押圧スイッチ部への取付方法では、キートップ７２−２の押圧部７４をスリット部１３にスライド挿入させて押圧部７４を挿通部１２に挿通させるので、第１実施形態で必要な外装ケース７０とキートップ７２の間の上記の隙間が不要となり、その分スイッチ機構１−２を薄型化することが可能となる。
【００４１】
スリット部１３は、ケース１０の上壁１１ａの外周側面から切り込まれて挿通部１２に連通する形状に形成されているので、キートップ７２の押圧部７４をケース１０の上壁１１ａの面に対して横方向（真横方向）の位置から水平にスライド挿入することも可能である。したがって、例えば図１０に示す他の形状の外装ケース７０と押圧スイッチ部２−２のように、外装ケース７０の面７１とケース１０の上壁１１ａの面とがいずれも取付部材５０を外装ケース７０内に挿入するＡ方向に平行な状態の場合でも、押圧部７４を上壁１１ａの面に対して横方向の位置からスリット部１３にスライド挿入して挿通部１２に挿通させることができるので、このような場合でも押圧スイッチ部２−２を電子機器の外装ケース７０に組み付けることが可能となる。
【００４２】
またここではスリット部１３を直線形状の切り込みとして形成したが、スリット部１３の形状はこれに限定されるものではなく、キートップ７２の押圧部７４を上壁１１ａの面に対して真上方向以外の位置からスライド挿入することが可能なものであれば、他の形状でもよい。また、スリット部１３は、キートップ７２の押圧部７４をケース１０の上壁１１ａの面に対して斜め上方向の位置から挿通部１２に向かってスライド挿入させるために、少なくとも上壁１１ａの面に対して斜め上方向の位置から挿通部１２までが直線状に開放された形状に形成されていれば、必ずしもケース１０の上壁１１ａの外周側面から切り込まれていなくてもよい。
【００４３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記各実施形態では、押圧スイッチ部２（２−２）の第１のスイッチ４５の構造を、一枚の基板部３１の表面に接点パターン３７を設け、その外周に接続パターン４０を設けると共に、接続パターン４０にその外周辺が接触するようにドーム形状の弾性金属板からなる反転板２１を取り付けてなる構造のスイッチとし、第２のスイッチ４６の構造を、二枚の基板部３２，３３に設けた一対の接点パターン３８，３９を所定の間隔を介して対向させてなる構造のスイッチとしたが、これらは一例であり、第１のスイッチ４５と第２のスイッチ４６は、両者共にこれらのいずれか一方と同一構造としてもよいし、これら以外の他の構造としてもよい。要は押圧されることでオンする構成のスイッチであれば、どのような構造のスイッチであってもよい。また各スイッチは、フレキシブル回路基板上に設けたものに限られず、硬質基板上に設けたスイッチでも良い。
【００４４】
また上記実施形態の押圧スイッチ部２（２−２）は、第１のスイッチ４５と第２のスイッチ４６を上下に重ねて設置した二段スイッチを備えているが、押圧スイッチ部２が備えるスイッチは二段スイッチに限らず、一段スイッチでもよい。その場合は、例えば第１のスイッチ４５のみを具備し、作動型物２２と基板部３２，３３とを省略すると共に、ケース１０には、第１のスイッチ４５の上部を覆う上壁を設けていればよく、作動型物２２を収納している収納部１１は省略することができる。またそれ以外にも、押圧スイッチ部２は、三段以上のスイッチを備えて構成したものでもよい。
【００４５】
また上記実施形態で示した取付部材５０の形状や、外装ケース７０の形状などはいずれも一例であり、これらはキートップ７２（７２−２）の押圧部７４を、押圧スイッチ部２（２−２）のケース１０（１０−２）の上壁１１ａの面に対して真上方向の位置から挿通部１２に挿入することができない場合の一例を示すものにすぎず、本発明がこの実施形態に限定されるものではない。
【００４６】
また第１実施形態のキートップ７２は、ヒンジ部７６を１個設けこのヒンジ部７６で基部７５を上下動可能に支持するいわゆる片持ちヒンジ構造であるが、キートップ７２の構造はこれに限られるのではなく、例えば基部７５の両側部にそれぞれヒンジ部７６を連結しこれら２個のヒンジ部７６によって基部７５を支持するように構成した両持ちヒンジ構造とすることもできるし、それ以外にも例えば、３個以上のヒンジ部７６を連結して基部７５を支持する構造にしてもよい。また、ヒンジ部７６の形状も上記に限定されない。要は、基部７５を開口部７１ａ内で上下動可能に支持できるものであれば、どのような構造であってもよい。
【００４７】
また上記の第１実施形態では、固定部材である外装ケース７０にキートップ７２を取り付けている場合を説明したが、キートップ７２は、外装ケース７０に取り付ける以外にも、電子機器の他の固定部材に取り付けてもよい。即ち、図１１に示すスイッチ機構１の他の構成例のように、外装ケース７０の面７１の下面側に固定部材である取付部材（取付板）９０を設置し、この取付部材９０にキートップ７２を取り付けることもできる。この取付部材９０は、その図示しない部分が外装ケース７０に固定されている。そしてこの取付部材９０の上面に、キートップ７２のヒンジ部７６の先端に設けた柱状の固定部９１が取り付けられている。この取付部材９０への固定部９１の取り付けは、取付部材９０に設けた貫通穴からなる取付固定部９０ａに、固定部９１の下面に設けた突起９１ａを挿通させ、取付部材９０の下面側に突出した突起９１ａの先端を熱カシメすることで行われている。
【図面の簡単な説明】
【００４８】
【図１】スイッチ機構１の概略側断面図である。
【図２】スイッチ機構１の分解斜視図である。
【図３】ケース１０を下面側から見た斜視図である。
【図４】スイッチ部材２０の分解斜視図である。
【図５】押圧スイッチ部２を外装ケース７０に組み付ける際の手順を説明するための概略側断面図である。
【図６】スイッチ機構１−２の概略側断面図である。
【図７】ケース１０−２の斜視図である。
【図８】押圧スイッチ部２−２を外装ケース７０に組み付ける際の手順を説明するための斜視図である。
【図９】押圧スイッチ部２−２を外装ケース７０に組み付ける際の手順を説明するための概略側断面図である。
【図１０】押圧スイッチ部２−２を他の形状の外装ケース７０に組み付ける手順を説明するための概略側断面図である。
【図１１】スイッチ機構１の他の構成例を示す概略側断面図である。
【符号の説明】
【００４９】
１                スイッチ機構
１−２            スイッチ機構
２                押圧スイッチ部
２−２            押圧スイッチ部
１０              ケース
１１              収納部
１１ａ            上壁
１２              挿通部
１３              スリット部
２０              スイッチ部材
２１              反転板
２２              作動型物
２３              押圧部
２４              凹部
３０              フレキシブル回路基板
３１              基板部
３２              基板部
３３              基板部
３７              接点パターン
３８              接点パターン
３９              接点パターン
４０              接続パターン
４１              スペーサ層
４５              第１のスイッチ
４６              第２のスイッチ
５０              取付部材
５２              取付部
６０              電子部品
７０              外装ケース（固定部材）
７２              キートップ
７２−２          キートップ
７４              押圧部
７６              ヒンジ部
９０              取付部材（固定部材）
【図１】
2007005103.tif 000003
【図２】
2007005103.tif 000004
【図３】
2007005103.tif 000005
【図４】
2007005103.tif 000006
【図５】
2007005103.tif 000007
【図６】
2007005103.tif 000008
【図７】
2007005103.tif 000009
【図８】
2007005103.tif 000010
【図９】
2007005103.tif 000011
【図１０】
2007005103.tif 000012
【図１１】
2007005103.tif 000013